(57)【要約】【課題】貯蔵室の内容積を従来のものより増やすことができ、且つ機械室の圧縮機と除霜水蒸発用凝縮器とを効率よく冷却することができる冷蔵庫を提供することを目的とする。【解決手段】圧縮機１、送風機６、除霜水蒸発用凝縮器７、除霜水蒸発用皿２を収納した機械室８０と、この機械室８０の前方に設けられ、冷蔵庫底板１１と冷蔵庫が設置される床面との間を空気吸込み通路４ａと、空気吹出し通路５ａとに左右に仕切る仕切板１０と、機械室８０に設けられ、空気吸込み通路４ａに連通する機械室吸込み口８と、機械室８０に設けられ、空気吹出し通路５ａに連通する機械室吹出し口９とを備え、送風機６を駆動することにより、空気吸込み通路４ａから機械室吸込み口８を介して機械室８０に外気を吸込み、この外気により機械室８０内を冷却した後、機械室吹出し口９から空気吹出し通路５ａに外気を吹出すことを特徴とする。【選択図】図６
2008070063.tif 000002
【特許請求の範囲】
【請求項１】
内箱と外箱との間に断熱材を充填した断熱箱体を有し、この断熱箱体の背面と貯蔵室との間に冷却器室を設けた冷蔵庫において、
前記冷却器室の下方で、前記断熱箱体の外部に設けられ、圧縮機、この圧縮機を冷却する送風機、除霜水蒸発用凝縮器、前記圧縮機の上又は前記除霜水蒸発用凝縮器の上に配置される除霜水蒸発用皿を収納した機械室と、
この機械室の前方に設けられ、前記外箱の一部を構成する冷蔵庫底板と当該冷蔵庫が設置される床面との間を前方及び側方に開口した空気吸込み通路と、前方及び側方に開口した空気吹出し通路とに左右に仕切る仕切板と、
前記機械室に設けられ、前記空気吸込み通路に連通する機械室吸込み口と、
前記機械室に設けられ、前記空気吹出し通路に連通する機械室吹出し口とを備え、前記送風機を駆動することにより、前方及び側方に開口した前記空気吸込み通路から前記機械室吸込み口を介して前記機械室に外気を吸込み、この外気により該機械室内を冷却した後、前記機械室吹出し口から前方及び側方に開口した前記空気吹出し通路に外気を吹出すことを特徴とする冷蔵庫。
【請求項２】
前記仕切板は、前記冷蔵庫底板に固定される溝部を有する硬質樹脂製の基部と、この基部の前記溝部に取り付けられて下方に垂下する軟質樹脂製のヒレとを有する構成としたことを特徴とする請求項１記載の冷蔵庫。
【請求項３】
前記仕切り板は、インジェクション成形もしくは押し出し成形により成形されることを特徴とする請求項２記載の冷蔵庫。
【請求項４】
前記機械室吸込み口の面積と、前記機械室吹出し口の面積とをほぼ同一としたことを特徴とする請求項１記載の冷蔵庫。
【発明の詳細な説明】
【技術分野】
【０００１】
この発明は、圧縮機を収納した機械室に、除霜水蒸発用皿と除霜水蒸発用凝縮器を配置し、貯蔵室（冷凍室）の内容積を大きくした冷蔵庫に関するものである。
【背景技術】
【０００２】
冷凍室の下方に、仕切り壁を介して並ぶ一対の放熱器を対応させて設け、冷凍室と一対の放熱器との間に断熱層を形成するとともに、この断熱層と一対の放熱器との間に、一対の放熱器の仕切り壁により吸気路と排気路とに区画される通気経路を形成し、この通気経路の吸気路から外気を送風機により吸引して圧縮機と放熱器とを冷却し、通気経路の排気路から排気する冷蔵庫が提案されている（例えば、特許文献１参照）。
【特許文献１】特開２００３−３２９３５９号公報
【発明の開示】
【発明が解決しようとする課題】
【０００３】
上記従来の冷蔵庫では、冷凍室の下方に、仕切り壁を介して並ぶ一対の放熱器を対応させて設けているので、冷凍室の内容積が小さくなるという課題があった。
【０００４】
この発明は、上記のよう課題を解決するためになされたもので、貯蔵室の内容積を従来のものより増やすことができ、且つ機械室の圧縮機と除霜水蒸発用凝縮器とを効率よく冷却することができる冷蔵庫を提供することを目的とする。
【課題を解決するための手段】
【０００５】
この発明に係る冷蔵庫は、内箱と外箱との間に断熱材を充填した断熱箱体を有し、この断熱箱体の背面と貯蔵室との間に冷却器室を設けた冷蔵庫において、冷却器室の下方で、断熱箱体の外部に設けられ、圧縮機、この圧縮機を冷却する送風機、除霜水蒸発用凝縮器、圧縮機の上又は除霜水蒸発用凝縮器の上に配置される除霜水蒸発用皿を収納した機械室と、この機械室の前方に設けられ、外箱の一部を構成する冷蔵庫底板と冷蔵庫が設置される床面との間を前方及び側方に開口した空気吸込み通路と、前方及び側方に開口した空気吹出し通路とに左右に仕切る仕切板と、機械室に設けられ、空気吸込み通路に連通する機械室吸込み口と、機械室に設けられ、空気吹出し通路に連通する機械室吹出し口とを備え、送風機を駆動することにより、前方及び側方に開口した空気吸込み通路から機械室吸込み口を介して機械室に外気を吸込み、この外気により機械室内を冷却した後、機械室吹出し口から前方及び側方に開口した空気吹出し通路に外気を吹出すことを特徴とする。
【発明の効果】
【０００６】
この発明に係る冷蔵庫は、上記構成により、貯蔵室の内容積を従来のものより増やすことができ、且つ機械室の圧縮機と除霜水蒸発用凝縮器とを効率よく冷却することができる。
【発明を実施するための最良の形態】
【０００７】
実施の形態１．
図１乃至図７は実施の形態１を示す図で、図１は冷蔵庫１００の縦断面図、図２は冷蔵庫１００の扉を外した状態の正面図、図３は冷蔵庫１００の背面図、図４は機械室８０を含む冷蔵庫底部付近の斜視図、図５は機械室８０の構成図、図６は冷蔵庫底部における空気の流れを示す平面図、図７は仕切板１０の断面図である。
【０００８】
本実施の形態１は、冷蔵庫底部の機械室８０及びその周辺の構成に特徴があるが、先ず冷蔵庫１００の全体構成を簡単に説明する。
【０００９】
図１に示すように、冷蔵庫１００は、内箱９０ａと外箱９０ｂとの間に断熱材９０ｃを充填した断熱箱体９０を仕切壁により仕切り、例えば、上から冷蔵室２０、氷室３０及び切り替え室４０（図２参照）、野菜室５０、冷凍室６０が形成されている。各室の前面開口部は、扉で開閉される。冷蔵室２０、氷室３０、切り替え室４０、野菜室５０、冷凍室６０の配置は任意であり、貯蔵室とはこれらのいずれかを言う（複数の場合もある）。
【００１０】
即ち、冷蔵室２０は回転式の冷蔵室扉２０ａ、氷室３０は引き出し式の氷室扉３０ａ、野菜室５０は引き出し式の野菜室扉５０ａ、冷凍室６０は引き出し式の冷凍室扉６０ａで開閉される。
【００１１】
冷蔵庫１００の背面部で、氷室３０及び野菜室５０付近の後方に、冷却器室７０が設けられる。冷却器室７０は、冷気を生成する冷却器７０ａ、冷却器７０ａで生成された冷気を各室に送るファン７０ｂ、冷却器７０ａに付着する霜を溶かす霜取り用ヒータ７０ｃを備える。
【００１２】
断熱箱体９０の外部の、冷却器室７０の下には、機械室８０が配置される。追って、詳細は説明するが、機械室８０には、圧縮機１、除霜水蒸発用皿２、送風機などが設けられる。機械室８０の底面は、台板１５で構成され、圧縮機１などが台板１５に固定される。
【００１３】
詳細は追って説明するが、除霜水蒸発用皿２を機械室８０に、図１の例では、圧縮機１の上に配置することにより、冷蔵庫底面３（外箱９０ｂの一部である）の下には、仕切板１０（図２参照）以外には何もないので、例えば、冷凍室６０の内容積を大きくすることができる。
【００１４】
図２に示すように、冷蔵庫底面３の下は、床との間の空間が、仕切板１０で空気の吸込み口４と吹出し口５とに左右に仕切られている。尚、氷室３０の横には、切り替え室４０が配置される。
【００１５】
図３に示すように、機械室８０には、送風機６、除霜水蒸発用凝縮器７、圧縮機１、除霜水蒸発用皿２が配置される。図３の例は、除霜水蒸発用皿２が圧縮機１の上に位置する。
【００１６】
図４により、冷蔵庫１００の底部付近の構成を説明する。冷蔵庫１００の底部の前側には、冷蔵庫底板１１（外箱９０ｂの一部であり、冷蔵庫底板１１の床側の面が冷蔵庫底面３に相当する）があり、冷蔵庫底板１１と床との間の空間が、仕切板１０により吸込み口４と吹出し口５とに左右に仕切られている。
【００１７】
冷蔵庫１００の底部の後側には、機械室８０があり、機械室８０内には、送風機６、除霜水蒸発用凝縮器７、圧縮機１、除霜水蒸発用皿２が配置される。機械室８０の底部は台板１５で構成される。機械室８０は、機械室吸込み口８により、吸込み口４に連通する。また、機械室８０は、機械室吹出し口９により、吹出し口５に連通する。機械室吸込み口８の面積と、機械室吹出し口９の面積とはほぼ同一とすると、空気の流れがスムーズになる。
【００１８】
図５により、機械室８０内の構成を説明する。この例では、上流側に送風機６が配置され、送風機６の下流側に除霜水蒸発用凝縮器７、除霜水蒸発用凝縮器７の下流側に圧縮機１が配置されている。除霜水蒸発用皿２は、圧縮機１の上に位置する。空気の流れ１２は、外気を送風機６が機械室吸込み口８（図４参照）より吸込み、先ず除霜水蒸発用凝縮器７を冷却し、その後圧縮機１を冷却して、機械室吹出し口９（図４参照）から機械室８０の外に出る。
【００１９】
除霜水蒸発用皿２は、圧縮機１の上に位置するので、直接的には高温の圧縮機１の熱により加熱されるが、除霜水蒸発用凝縮器７と熱交換して温度の上昇した空気によっても加熱されて、除霜水を蒸発させる。
【００２０】
図６は冷蔵庫１００の底部付近の平面図であるが、この図により機械室８０への空気の流れを説明する。外気は、空気の流れ１２で示すように、冷蔵庫底板１１の下で、仕切板１０で仕切られた空気吸込み通路４ａに吸込み口４から入り、空気吸込み通路４ａを流れ、その後機械室吸込み口８から機械室８０に入る。冷蔵庫底板１１の下の空気吸込み通路４ａは、前方及び左側部が開放しているので、冷蔵庫底板１１の下の仕切板１０の左側の前方及び左側部が吸込み口４になる。
【００２１】
機械室吸込み口８には、背面からも外気が吸込まれる。機械室吸込み口８に、機械室吸込み口８及び背面から吸込まれた空気は、送風機６により、先ず除霜水蒸発用凝縮器７を冷却する。さらに、圧縮機１を冷却して、温度が上昇した空気は、機械室吹出し口９から空気吹出し通路５ａに流れ、空気吹出し通路５ａを流れて吹出し口５から外部に吹出される。このとき、仕切板１０があるため、空気吸込み通路４ａと空気吹出し通路５ａとはショートサイクルすることなく、吹出し口５から外部に流れる。尚、圧縮機１を冷却した空気は、機械室８０の背面からも外部に吹出される。圧縮機１の上にある除霜水蒸発用皿２は、圧縮機１の熱及び除霜水蒸発用凝縮器７を通過して温度の上昇した空気で加熱されて除霜水が蒸発する。
【００２２】
仕切板１０は、図７に示すように、冷蔵庫底板１１に固定される溝部１４ａを有する硬質樹脂製の基部１４と、この基部１４の溝部１４ａに取り付けられて下方に垂下する軟質樹脂製のヒレ１６とを有する構成としたものである。
【００２３】
仕切板１０は、インジェクション成形もしくは押し出し成形により成形される。
【００２４】
仕切板１０は、上記以外に、モルトプレーンなどの発泡部材を、両面テープを用いて冷蔵庫底板１１に貼着してもよい。
【００２５】
以上のように、除霜水蒸発用凝縮器７と、除霜水蒸発用皿２とを機械室８０に設けたので、冷凍室６０を下方に広げることができる。また、冷蔵庫底板１１と床の間の空間を、仕切板１０で左右に仕切ることにより、機械室８０を冷却する冷却する空気の吸込み口４と吹出し口５とを区画し、ショートサイクルを防止することができる。
【００２６】
実施の形態２．
図８は実施の形態２を示す図で、機械室８０の構成図である。
【００２７】
図５と異なる点のみを、説明する。本実施の形態２では、除霜水蒸発用凝縮器７の位置が機械室８０の上部に位置する。送風機６から送られる空気は、除霜水蒸発用凝縮器７を通過せずに直接圧縮機１に流れる空気の流れ１２と、除霜水蒸発用凝縮器７を冷却して、温度が上昇した後除霜水蒸発用皿２に流れる空気の流れ１２がある。
【００２８】
図５よりも、圧縮機１を冷却する空気の流れ１２の温度が低く、圧縮機１の温度が低くなる。除霜水蒸発用皿２は、圧縮機１からの加熱は少なくなるが、除霜水蒸発用凝縮器７を冷却して温度が上昇した空気が除霜水蒸発用皿２に流れるので、除霜水の蒸発能力はほとんど変わらない。
【００２９】
実施の形態３．
図９は実施の形態を示す図で、機械室８０の構成図である。
【００３０】
図９の機械室８０は、送風機６の下流側に圧縮機１が配置される。さらに、圧縮機１の下流側に除霜水蒸発用凝縮器７が配置され、除霜水蒸発用凝縮器７の上に除霜水蒸発用皿２が設けられる。
【００３１】
図８の機械室８０よりも、圧縮機１が送風機６に近いので、圧縮機１は送風機６により効率よく冷却される。除霜水蒸発用皿２は、除霜水蒸発用凝縮器７の上に設けられる本来の形態であり、圧縮機１を通過して温度が上昇した空気が除霜水蒸発用皿２に流れるので、除霜水の蒸発能力は、実施の形態１、実施の形態２とほぼ同等である。
【００３２】
実施の形態４．
図１０は実施の形態を示す図で、機械室８０の構成図である。
【００３３】
図１０の機械室８０は、図５の機械室８０の除霜水蒸発用皿２を除霜水蒸発用凝縮器７側に延ばし、圧縮機１の上に加えて除霜水蒸発用凝縮器７の上にも載る形状としたものである。
【００３４】
このような構成とすることにより、除霜水蒸発用皿２の容積が増加し、除霜水の蒸発量が増加する。
【図面の簡単な説明】
【００３５】
【図１】実施の形態１を示す図で、冷蔵庫１００の縦断面図である。
【図２】実施の形態１を示す図で、冷蔵庫１００の扉を外した状態の正面図である。
【図３】実施の形態１を示す図で、冷蔵庫１００の背面図である。
【図４】実施の形態１を示す図で、機械室８０を含む冷蔵庫底部付近の斜視図である。
【図５】実施の形態１を示す図で、機械室８０の構成図である。
【図６】実施の形態１を示す図で、冷蔵庫底部における空気の流れを示す平面図である。
【図７】実施の形態１を示す図で、仕切板１０の断面図である。
【図８】実施の形態２を示す図で、機械室８０の構成図である。
【図９】実施の形態３を示す図で、機械室８０の構成図である。
【図１０】実施の形態４を示す図で、機械室８０の構成図である。
【符号の説明】
【００３６】
１  圧縮機、２  除霜水蒸発用皿、３  冷蔵庫底面、４  吸込み口、５  吹出し口、６  送風機、７  除霜水蒸発用凝縮器、８  機械室吸込み口、９  機械室吹出し口、１０  仕切板、１１  冷蔵庫底板、１２  空気の流れ、１４  基部、１５  台板、１６  ヒレ、２０  冷蔵室、２０ａ  冷蔵室扉、３０  氷室、３０ａ  氷室扉、４０  切り替え室、４０ａ  切り替え室扉、５０  野菜室、５０ａ  野菜室扉、６０  冷凍室、６０ａ  冷凍室扉、７０  冷却器室、７０ａ  冷却器、７０ｂ  ファン、７０ｃ  霜取り用ヒータ、８０  機械室、９０  断熱箱体、９０ａ  内箱、９０ｂ  外箱、９０ｃ  断熱材、１００  冷蔵庫。
【図１】
2008070063.tif 000003
【図２】
2008070063.tif 000004
【図３】
2008070063.tif 000005
【図４】
2008070063.tif 000006
【図５】
2008070063.tif 000007
【図６】
2008070063.tif 000008
【図７】
2008070063.tif 000009
【図８】
2008070063.tif 000010
【図９】
2008070063.tif 000011
【図１０】
2008070063.tif 000012